(57)【要約】【課題】文書作成をより容易にすること。【解決手段】電話機能２１と音声認識機能２２と文字エンジン２３と文書作成部２４とを備えている。電話機能２１は、相手端末に対して音声を送受信する。音声認識機能２２は、その音声に基づいて複数の関連文字列を生成する。その複数の関連文字列は、その音声が示す複数の文字列と、その音声に示されていない複数の他の文字列とを含んでいる。文字エンジン２３は、その複数の関連文字列に基づいて予測変換辞書を作成する。文書作成部２４は、その予測変換辞書に基づいて入力装置１４を介して入力された文字に対応する予測変換候補を表示装置１５に表示し、入力装置１４を介して入力される情報に基づいてその予測変換候補から選択された選択候補を用いて文書を作成する。【選択図】図２
2011186597.tif 000002
【特許請求の範囲】
【請求項１】
相手端末に対して音声を送受信する電話機能と、
前記音声に基づいて複数の関連文字列を生成する音声認識機能と、
複数の文字を複数の予測変換候補に対応付ける予測変換辞書を前記複数の関連文字列に基づいて作成する文字エンジンと、
入力装置を介して入力される情報に基づいて文書を作成する文書作成部とを具備し、
前記複数の関連文字列は、
前記音声が示す複数の単語をそれぞれ示す複数の文字列と、
前記複数の単語に関連する複数の他の単語をそれぞれ示す複数の他の文字列とを含み、
前記文書作成部は、
前記複数の予測変換候補のうちの前記入力装置を介して入力された入力文字に対応する予測変換候補を表示装置に表示し、
前記入力装置を介して入力される情報に基づいて前記予測変換候補から選択候補が選択されたときに、前記選択候補を用いて前記文書を作成する
携帯端末装置。
【請求項２】
請求項１において、
前記文字エンジンは、さらに、複数の相手先に対応する複数の予測変換辞書を作成し、
前記複数の予測変換辞書のうちの１つの予測変換辞書は、前記複数の相手先のうちの前記１つの予測変換辞書に対応する１つの相手先に対して送受信された音声に基づいて前記音声認識機能により生成された複数の関連文字列に基づいて作成される。
携帯端末装置。
【請求項３】
請求項２において、
送信文書を送信先に送信するメール機能をさらに具備し、
前記文書作成部は、
前記送信文書を作成するときに、前記複数の予測変換辞書のうちの前記送信先に対応する予測変換辞書が示す複数の予測変換候補のうちの前記入力装置を介して入力された入力文字に対応する送信文書作成時予測変換候補を前記表示装置に表示し、
前記入力装置を介して入力される情報に基づいて前記送信文書作成時予測変換候補から送信文書作成時選択候補が選択されたときに、前記送信文書作成時選択候補を用いて前記送信文書を作成する
携帯端末装置。
【請求項４】
請求項１〜請求項３のいずれかにおいて、
前記音声認識機能は、前記音声に関する情報を音声認識サーバに送信し、前記複数の関連文字列を前記音声認識サーバから受信する
携帯端末装置。
【請求項５】
請求項１〜請求項４のいずれかにおいて、
前記複数の関連文字列は、前記相手端末から受信された音声のみに基づいて生成される
携帯端末装置。
【請求項６】
相手端末に対して音声を送受信するステップと、
前記音声に基づいて複数の関連文字列を生成するステップと、
複数の文字を複数の予測変換候補に対応付ける予測変換辞書を前記複数の関連文字列に基づいて作成するステップと、
入力装置を介して入力される情報に基づいて文書を作成するステップとを具備し、
前記複数の関連文字列は、
前記音声が示す複数の単語をそれぞれ示す複数の文字列と、
前記複数の単語に関連する複数の他の単語をそれぞれ示す複数の他の文字列とを含み、
前記文書を作成するステップは、
前記複数の予測変換候補のうちの前記入力装置を介して入力された入力文字に対応する予測変換候補を表示装置に表示するステップと、
前記入力装置を介して入力される情報に基づいて前記予測変換候補から選択候補が選択されたときに、前記選択候補を用いて前記文書を作成するステップとを備える
予測変換辞書作成方法。
【請求項７】
請求項６において、
複数の相手先に対応する複数の予測変換辞書を作成するステップをさらに具備し、
前記複数の予測変換辞書のうちの１つの予測変換辞書は、前記複数の相手先のうちの前記１つの予測変換辞書に対応する１つの相手先に対して送受信された音声に基づいて前記音声認識機能により生成された複数の関連文字列に基づいて作成される。
予測変換辞書作成方法。
【請求項８】
請求項７において、
前記入力装置を介して入力される情報に基づいて送信文書を作成するステップと、
前記送信文書を送信先に送信するステップとをさらに具備し、
前記送信文書を作成するステップは、
前記複数の予測変換辞書のうちの前記送信先に対応する予測変換辞書が示す複数の予測変換候補のうちの前記入力装置を介して入力された入力文字に対応する送信文書作成時予測変換候補を前記表示装置に表示するステップと、
前記入力装置を介して入力される情報に基づいて前記送信文書作成時予測変換候補から送信文書作成時選択候補が選択されたときに、前記送信文書作成時選択候補を用いて前記送信文書を作成するステップとを備える
予測変換辞書作成方法。
【請求項９】
請求項６〜請求項８のいずれかにおいて、
前記音声に関する情報を音声認識サーバに送信するステップと、
前記複数の関連文字列を前記音声認識サーバから受信するステップ
とをさらに具備する予測変換辞書作成方法。
【請求項１０】
請求項６〜請求項９のいずれかにおいて、
前記複数の関連文字列は、前記相手端末から受信された音声のみに基づいて生成される
予測変換辞書作成方法。
【発明の詳細な説明】
【技術分野】
【０００１】
本発明は、携帯端末装置および予測変換辞書作成方法に関し、特に、文書を作成することに利用される携帯端末装置および予測変換辞書作成方法に関する。
【背景技術】
【０００２】
携帯電話機には、メール時やメモ機能を使用するときに、ユーザの入力を簡略化するために、辞書機能が搭載されている。その辞書機能は、文書を作成する際に文字を入力すると、その人がよく使用する候補やその文字から連想される候補を表示し、入力のサポートを行っている。
【０００３】
また、ユーザが特に使用したいと思われる辞書データに関しては、サイトに登録している辞書データをダウンロードしてきて携帯電話機に反映し、使用することができる。ただし、その辞書データは、顔文字、スポーツなど作成者にて限定されており、各個人専用の辞書としては適切でないことがある。携帯電話機を用いて文書を作成することをより容易にすることが望まれている。
【０００４】
特開２００７−１０８８８１号公報には、文字入力時におけるユーザの作業負担を軽減できると共に、辞書データベースから参照される候補の最適化を可能とし、ユーザにとってより使い易い文字入力支援を実現可能とする携帯情報端末が開示されている。その携帯情報端末は、会話音声データを記憶する記憶部と、会話音声データの音声認識により単語を抽出する単語抽出部と、上記単語抽出部により抽出された単語をデータベース化して登録するデータベース部と、ユーザによる文字入力時に、上記データベース部に登録されたデータベースを参照して予測変換候補を検索する候補検索部と、上記候補検索部により検索された予測変換候補をユーザに提示する提示部とを有することを特徴としている。
【０００５】
特開２００７−２１３１０９号公報には、携帯端末内蔵のかな漢字変換辞書に登録したい用語を、電子メールではなく、当該携帯端末から音声入力して、辞書サーバに対して、辞書データの作成要求をすることにより、該辞書サーバから辞書登録用の辞書データを当該携帯端末が受け取って内蔵のかな漢字変換辞書に登録する辞書作成システムが開示されている。その辞書作成システムは、テキスト作成機能を有する携帯端末と、該携帯端末に内蔵のかな漢字変換辞書に登録するための辞書データを作成して前記携帯端末に送信する辞書サーバとを、ネットワークを介して接続する辞書作成システムにおいて、前記携帯端末は、前記かな漢字変換辞書に登録するための用語を含む音声を入力する音声入力部と、入力された前記音声を辞書データ作成要求用の音声データとして、前記辞書サーバに送信する音声データ送信部と、前記辞書サーバから送信されてくる辞書データを内蔵の前記かな漢字変換辞書に登録する辞書登録部とを少なくとも含んで構成され、前記辞書サーバは、前記携帯端末から送信されてくる辞書データ作成要求用の前記音声データを受信する音声データ受信部と、受信した前記音声データを音声認識して、かなテキスト文に変換する音声認識部と、変換した前記かなテキスト文を形態素解析して辞書登録単位のかな文字列に分解する形態素解析部と、分解した前記かな文字列それぞれに該当する漢字、品詞情報を少なくとも含む辞書データを作成する辞書データ作成部と、作成した前記辞書データを、要求元の前記携帯端末に返送する辞書データ送信部とを少なくとも含んで構成されていることを特徴としている。
【０００６】
特開２００８−１４６４６１号公報には、携帯電話機や携帯録音機のように会話記録手段を備えた携帯端末装置を用い、ブログの作成を容易にするための情報をより簡単に得るための装置が開示されている。その装置は、音声会話記録を用いて会話記録の要点作成のための装置であって、利用者の携帯端末に記憶された会話記録を入力として受け付ける会話記録入力部と、前記会話記録の音声データを、前記利用者の発話部分と前記利用者と会話する他の者の発話部分とに分離する会話分離部と、前記分離された音声データをテキスト・データに変換する音声テキスト変換部と、前記テキスト・データから会話の特徴を表す要点語を抽出する要点語抽出部と、前記抽出した要点語を前記利用者に表示する表示部とを備えている。
【先行技術文献】
【特許文献】
【０００７】
【特許文献１】特開２００７−１０８８８１号公報
【特許文献２】特開２００７−２１３１０９号公報
【特許文献３】特開２００８−１４６４６１号公報
【発明の概要】
【発明が解決しようとする課題】
【０００８】
本発明の目的は、文書の作成をより容易にする携帯端末装置および予測変換辞書作成方法を提供することにある。
【課題を解決するための手段】
【０００９】
本発明による携帯端末装置は、電話機能と音声認識機能と文字エンジンと文書作成部とを備えている。その電話機能は、相手端末に対して音声を送受信する。その音声認識機能は、その音声に基づいて複数の関連文字列を生成する。その複数の関連文字列は、その音声が示している複数の単語をそれぞれ示している複数の文字列と、その複数の単語に関連する複数の他の単語をそれぞれ示している複数の他の文字列とを含んでいる。その文字エンジンは、複数の文字を複数の予測変換候補に対応付ける予測変換辞書をその複数の関連文字列に基づいて作成する。その文書作成部は、入力装置を介して入力される情報に基づいて文書を作成する。このとき、その文書作成部は、その複数の予測変換候補のうちのその入力装置を介して入力された入力文字に対応する予測変換候補を表示装置に表示する。その文書作成部は、その入力装置を介して入力される情報に基づいてその予測変換候補から選択候補が選択されたときに、その選択候補を用いてその文書を作成する。
【００１０】
本発明による予測変換辞書作成方法は、相手端末に対して音声を送受信するステップと、その音声に基づいて複数の関連文字列を生成するステップと、複数の文字を複数の予測変換候補に対応付ける予測変換辞書をその複数の関連文字列に基づいて作成するステップと、入力装置を介して入力される情報に基づいて文書を作成するステップとを備えている。その複数の関連文字列は、その音声が示している複数の単語をそれぞれ示している複数の文字列と、その複数の単語に関連する複数の他の単語をそれぞれ示している複数の他の文字列とを含んでいる。その文書を作成するステップは、その複数の予測変換候補のうちのその入力装置を介して入力された入力文字に対応する予測変換候補を表示装置に表示しているステップと、その入力装置を介して入力される情報に基づいてその予測変換候補から選択候補が選択されたときに、その選択候補を用いてその文書を作成するステップとを備えている。
【発明の効果】
【００１１】
本発明による携帯端末装置および予測変換辞書作成方法は、通話時の内容に関連する単語を予測変換候補として表示させることができ、ユーザによる文書の作成をより容易にすることができる。
【図面の簡単な説明】
【００１２】
【図１】図１は、本発明による携帯端末装置が適用されるシステムを示すブロック図である。
【図２】図２は、本発明による携帯端末装置を示すブロック図である。
【図３】図３は、辞書テーブルを示す図である。
【図４】図４は、予測変換辞書を示す図である。
【図５】図５は、コンテンツを公開する動作の実施の形態を示すフローチャートである。
【発明を実施するための形態】
【００１３】
図面を参照して、本発明による携帯端末装置の実施の形態を記載する。その携帯端末装置１は、図１に示されているように、互いに双方向に音声を伝送することができるように、携帯電話回線網２を介して他の携帯電話機３に接続されている。携帯端末装置１は、さらに、互いに双方向に情報を伝送することができるように、携帯電話回線網２を介して音声認識サーバ５に接続されている。
【００１４】
音声認識サーバ５は、携帯電話回線網２に接続されているコンピュータから音声の特徴量を受信したときに、その音声を音声認識することにより解析結果を生成し、携帯電話回線網２を介してそのコンピュータにその解析結果を返信する。その解析結果は、複数の読みを複数の文字列に対応付けている。その複数の文字列は、その音声が示す単語と、その単語に関連する関連単語とを示している。その複数の読みは、その複数の文字列の読みをそれぞれ示している。その関連単語は、その音声が示す単語と異なり、ある点でその音声が示す単語と共通している単語を示している。その関連単語は、その単語が「りんご」を示すときに、たとえば、「果物」という点で共通する「梨」を示している。
【００１５】
図２は、携帯端末装置１を示している。携帯端末装置１は、スピーカ１１とマイク１２と入力装置１４と表示装置１５と通信装置１６とを備えている。スピーカ１１は、携帯端末装置１により生成される音声を出力する。マイク１２は、周囲に発生する音声を示す音声データを携帯端末装置１に出力する。入力装置１４は、ユーザに操作されることにより情報を生成し、その情報を携帯端末装置１に出力する。表示装置１５は、携帯端末装置１により生成される画像をユーザに認識可能に表示する。通信装置１６は、携帯電話回線網２を介して携帯端末装置１により生成された情報を他のコンピュータに送信し、携帯電話回線網２を介して他のコンピュータから出力された情報を携帯端末装置１に出力する。
【００１６】
携帯端末装置１は、コンピュータであり、図示されていないＣＰＵと記憶装置とリムーバルメモリドライブとを備えている。そのＣＰＵは、携帯端末装置１にインストールされるコンピュータプログラムを実行することにより、スピーカ１１とマイク１２と入力装置１４と表示装置１５とを制御し、その記憶装置とリムーバルメモリドライブとを制御する。その記憶装置は、そのコンピュータプログラムを記録し、そのＣＰＵにより生成される情報を一時的に記録する。そのリムーバルメモリドライブは、コンピュータプログラムが記録されている記録媒体が挿入されたときに、そのコンピュータプログラムを携帯端末装置１にインストールするときに利用される。その記録媒体としては、フラッシュメモリが例示される。通信装置１６は、さらに、携帯電話回線網２に公開されているコンピュータプログラムを携帯端末装置１にインストールするときに利用される。
【００１７】
携帯端末装置１にインストールされるコンピュータプログラムは、携帯端末装置１に複数の機能を実現させるための複数のコンピュータプログラムから形成されている。その複数の機能は、電話機能２１と音声認識機能２２と文字エンジン２３と文書作成機能２４とメール機能２５とを含んでいる。
【００１８】
電話機能２１は、携帯端末装置１を携帯電話機として機能させる。すなわち、電話機能２１は、入力装置１４に入力される所定の操作に応答して、通信装置１６を用いて、マイク１２により収音された音声を他の携帯電話機３に携帯電話回線網２を介して送信し、携帯電話機３から携帯電話回線網２を介して受信された音声をスピーカ１１から出力する。電話機能２１は、さらに、電話が開始されたら、電話している相手を識別し、その相手を識別する識別フラグをたてる。
【００１９】
音声認識機能２２は、電話機能２１により携帯電話機３から受信された音声に基づいて特徴量を算出し、その特徴量を記憶装置に記録する。このような特徴量の算出は、公知である。音声認識機能２２は、電話機能２１による電話が終了した後に、携帯電話回線網２を介してその特徴量を音声認識サーバ５に送信する。音声認識機能２２は、その送信に応答して音声認識サーバ５から返信される解析結果を収集する。
【００２０】
文字エンジン２３は、辞書テーブルと複数の予測変換辞書とを記憶装置に記憶している。文字エンジン２３は、電話機能２１によりたてられた識別フラグと音声認識機能２２により収集された解析結果とに基づいてその複数の予測変換辞書を更新する。
【００２１】
文書作成機能２４は、入力装置１４に入力される情報に基づいて送信先を指定する。文書作成機能２４は、さらに、文字エンジン２３により作成された複数の予測変換辞書を参照して、入力装置１４に入力される情報に基づいて文書を作成する。
【００２２】
メール機能２５は、入力装置１４に入力される所定の操作に応答して、通信装置１６を用いて、携帯電話回線網２を介して文書作成機能２４により作成された文書を文書作成機能２４により指定された送信先に送信する。
【００２３】
図３は、文字エンジン２３により記録されている辞書テーブルを示している。その辞書テーブル３１は、相手先集合３２を予測変換辞書集合３３に対応付けている。すなわち、相手先集合３２のうちの任意の要素は、予測変換辞書集合３３のうちの１つの要素に対応している。相手先集合３２は、複数の相手先を識別し、相手先集合３２の各要素は、その複数の相手先のうちの１つの相手先を示している。相手先集合３２は、複数の相手先を識別し、相手先集合３２の各要素は、その複数の相手先のうちの１つの相手先を示している。たとえば、その複数の相手先は、電話機能２１により電話したことがある複数の相手先とメール機能２５によりメールを送信したことがある相手先とを含んでいる。予測変換辞書集合３３は、文字エンジン２３により記録されている複数の予測変換辞書を識別し、予測変換辞書集合３３の各要素は、その複数の予測変換辞書のうちの１つの予測変換辞書を示している。
【００２４】
このとき、文字エンジン２３は、電話機能２１によりたてられた識別フラグが示す相手先が相手先集合３２に属していないときに、その識別フラグが示す相手先を相手先集合３２に追加し、その相手先に対応する新規の予測変換辞書を予測変換辞書集合３３に追加する。文字エンジン２３は、電話機能２１によりたてられた識別フラグが示す相手先が相手先集合３２に属している場合で、音声認識機能２２によりある解析結果が収集されたときに、その解析結果に基づいて予測変換辞書集合３３のうちのその相手先に対応する予測変換辞書を更新する。
【００２５】
文書作成機能２４は、入力装置１４に入力される情報に基づいて指定された送信先に送信する文書を作成するときに、辞書テーブル３１を参照して、予測変換辞書集合３３のうちのその送信先に対応する予測変換辞書を用いてその文書を作成する。
【００２６】
図４は、予測変換辞書集合３３のうちの１つの予測変換辞書を示している。その予測変換辞書４１は、入力集合４２を予測変換候補集合４３に対応付けている。すなわち、入力集合４２のうちの任意の要素は、予測変換候補集合４３のうちの１つの要素に対応している。入力集合４２は、入力装置１４に入力され得る複数の入力を識別し、入力集合４２の各要素は、その複数の入力のうちの１つの入力を示している。予測変換候補集合４３のうちのある入力に対応する要素は、その入力を読みの始めの一部とする複数の単語をそれぞれ示す複数の文字列を示している。
【００２７】
文字エンジン２３は、電話機能２１によりたてられた識別フラグが示す相手先が予測変換辞書４１に対応している場合で、音声認識機能２２によりある解析結果が収集されたときに、所定の入力が所定の文字列に対応するように、予測変換辞書４１を更新する。その所定の入力は、その解析結果が示す複数の読みのうちの１つの読みの最初の部分を示している。その所定の文字列は、その解析結果が示す複数の文字列のうちのその１つの読みに対応する文字列を示している。
【００２８】
文書作成機能２４は、入力装置１４に入力される情報に基づいて指定された送信先に予測変換辞書４１が対応する場合で、入力装置１４を介して文字が入力されたときに、予測変換候補集合４３のうちのその文字に対応する予測変換候補を表示装置１５に表示する。文書作成機能２４は、さらに、入力装置１４を介して入力された情報によりその対応する予測変換候補から１つの文字列が選択されたときに、その選択された文字列を用いて、文書を作成する。文書作成機能２４は、入力装置１４を介して文字が入力されたときに、さらに、かな漢字変換辞書に基づいてその文字に対応する変換候補を表示装置１５に表示する。文書作成機能２４は、さらに、入力装置１４を介して入力された情報によりその対応する変換候補から１つの文字列が選択されたときに、その選択された文字列を用いて、その文書を作成する。
【００２９】
図５は、本発明による予測変換辞書作成方法を示している。ユーザは、入力装置１４に所定の操作をすることにより、携帯端末装置１を用いて専用の予測変換辞書を作成したい相手との電話をする。携帯端末装置１は、電話が開始されたら（ステップＳ１）、その電話している相手を識別し、その相手先がわかる識別フラグをたてる（ステップＳ２）。
【００３０】
携帯端末装置１は、音声認識機能２２を自動的に開始して（ステップＳ３）、電話している間に一定間隔で、電話の相手から話される音声に基づいて単語ごとの特徴量を抽出して（ステップＳ４）、その特徴量を保存する（ステップＳ５）。
【００３１】
携帯端末装置１は、その電話が終了すると、携帯電話回線網２を介してその保存された特徴量のデータを音声認識サーバ５に送信する（ステップＳ６）。音声認識サーバ５は、その送られてきた特徴量の情報を解析することにより解析結果を生成し、携帯電話回線網２を介してその解析結果を携帯端末装置１に送信する。携帯端末装置１は、その解析結果が受信されないと（ステップＳ７、ＮＯ）、携帯電話回線網２を介してその保存された特徴量のデータを音声認識サーバ５に再度送信する（ステップＳ６）。携帯端末装置１は、その解析結果を受信すると（ステップＳ７、ＹＥＳ）、その解析結果を取得し（ステップＳ８）、その解析結果を保存する（ステップＳ９）。
【００３２】
携帯端末装置１は、その解析結果を文字エンジン２３に送り（ステップＳ１０）、文字エンジン２３内にて学習処理を行う（ステップＳ１１）。すなわち、携帯端末装置１は、ステップＳ２でたてられた識別フラグが示す相手先が辞書テーブル３の相手先集合３２に属していないときに、その識別フラグが示す相手先を相手先集合３２に追加し、その相手先に対応する新規の予測変換辞書を予測変換辞書集合３３に追加する。携帯端末装置１は、予測変換辞書集合３３のうちのその識別フラグが示す相手先に対応する予測変換辞書４１を、所定の入力が所定の文字列に対応するように、更新する（ステップＳ１２、Ｓ１３）。その所定の入力は、その解析結果が示す複数の読みのうちの１つの読みの最初の部分を示している。その所定の文字列は、その解析結果が示す複数の文字列のうちのその１つの読みに対応する文字列を示している。このような学習処理を行うことで、よく使われている単語を抽出し、その人独自の辞書を作成する。
【００３３】
本発明による予測変換辞書作成方法は、さらに、複数の予測変換辞書を使用する動作を備えている。このとき、携帯端末装置１は、入力装置１４に入力される情報に基づいてその送信先を指定する。携帯端末装置１は、辞書テーブル３１を参照して、予測変換辞書集合３３からその送信先に対応する予測変換辞書４１を選択する。携帯端末装置１は、入力装置１４を介して文字が入力されたときに、予測変換候補集合４３のうちのその文字に対応する予測変換候補を表示装置１５に表示する。携帯端末装置１は、さらに、入力装置１４を介して入力された情報によりその対応する予測変換候補から１つの文字列が選択されたときに、その選択された文字列を用いて、文書を作成する。携帯端末装置１は、入力装置１４を介して文字が入力されたときに、さらに、かな漢字変換辞書に基づいてその文字に対応する変換候補を表示装置１５に表示する。携帯端末装置１は、さらに、入力装置１４を介して入力された情報によりその対応する変換候補から１つの文字列が選択されたときに、その選択された文字列を用いて、その文書を作成する。携帯端末装置１は、入力装置１４に入力される所定の操作に応答して、通信装置１６を用いて、携帯電話回線網２を介してその作成された文書をその指定された送信先に送信する。
【００３４】
このような予測変換辞書作成方法によれば、文字エンジン２３により作成される複数の予測変換辞書には、携帯端末装置１のユーザと電話の相手が頻繁に用いる単語が蓄積される。このため、ユーザは、携帯端末装置１を用いて、そのような単語が頻繁に用いられる文書をより容易に作成することができる。
【００３５】
このような予測変換辞書作成方法によれば、複数の予測変換辞書には、電話の相手ごとの話し方や好きな話題などが蓄積される。ある送信先に送信される文書は、一般に、その送信先の好きな話題に関連する単語が頻繁に用いられる。このため、ユーザは、携帯端末装置１を用いて各送信先に送信する文書をより容易に作成することができる。
【００３６】
なお、音声認識機能２２は、電話中に、電話機能２１により携帯電話機３から受信された音声とマイク１２により収音された音声との両方に基づいて特徴量を算出することもできる。携帯端末装置１は、このような動作であっても、文書をより容易に作成することができる。
【００３７】
なお、既述の実施の形態における音声認識機能２２は、音声認識サーバ５を利用しない他の音声認識機能に置換されることもできる。その音声認識機能は、電話機能２１により携帯電話機３から受信された音声に基づいて特徴量を算出し、その特徴量に基づいて解析結果を算出する。その解析結果は、音声認識サーバ５によりその特徴量に基づいて算出される解析結果に一致している。このような音声認識機能が適用された携帯端末装置は、既述の実施の形態における携帯端末装置１と同様にして、文書をより容易に作成することができる。さらに、このような携帯端末装置は、音声認識サーバ５なしで本発明による予測変換辞書作成方法を実行することができ、既述の実施の形態における携帯端末装置１に比較して、より容易に構成されることができる。
【００３８】
なお、文字エンジン２３は、音声認識による解析結果に基づいて１つの予測変換辞書４１のみを作成する他の文字エンジンに置換されることができる。このような文字エンジンが適用された携帯端末装置は、メールの送信先に応じて予測変換候補を変化させることができないが、既述の実施の形態における携帯端末装置１と同様にして、文書をより容易に作成することができる。
【００３９】
（付記１）
相手端末に対して音声を送受信する電話機能と、
前記音声に基づいて複数の関連文字列を生成する音声認識機能と、
複数の文字を複数の予測変換候補に対応付ける予測変換辞書を前記複数の関連文字列に基づいて作成する文字エンジンと、
入力装置を介して入力される情報に基づいて文書を作成する文書作成部とを具備し、
前記複数の関連文字列は、
前記音声が示す複数の単語をそれぞれ示す複数の文字列と、
前記複数の単語に関連する複数の他の単語をそれぞれ示す複数の他の文字列とを含み、
前記文書作成部は、
前記複数の予測変換候補のうちの前記入力装置を介して入力された入力文字に対応する予測変換候補を表示装置に表示し、
前記入力装置を介して入力される情報に基づいて前記予測変換候補から選択候補が選択されたときに、前記選択候補を用いて前記文書を作成する
携帯端末装置。
【００４０】
（付記２）
付記１において、
前記文字エンジンは、さらに、複数の相手先に対応する複数の予測変換辞書を作成し、
前記複数の予測変換辞書のうちの１つの予測変換辞書は、前記複数の相手先のうちの前記１つの予測変換辞書に対応する１つの相手先に対して送受信された音声に基づいて前記音声認識機能により生成された複数の関連文字列に基づいて作成される。
携帯端末装置。
【００４１】
（付記３）
付記２において、
送信文書を送信先に送信するメール機能をさらに具備し、
前記文書作成部は、
前記送信文書を作成するときに、前記複数の予測変換辞書のうちの前記送信先に対応する予測変換辞書が示す複数の予測変換候補のうちの前記入力装置を介して入力された入力文字に対応する送信文書作成時予測変換候補を前記表示装置に表示し、
前記入力装置を介して入力される情報に基づいて前記送信文書作成時予測変換候補から送信文書作成時選択候補が選択されたときに、前記送信文書作成時選択候補を用いて前記送信文書を作成する
携帯端末装置。
【００４２】
（付記４）
付記１〜付記３のいずれかにおいて、
前記音声認識機能は、前記音声に関する情報を音声認識サーバに送信し、前記複数の関連文字列を前記音声認識サーバから受信する
携帯端末装置。
【００４３】
（付記５）
付記１〜付記４のいずれかにおいて、
前記複数の関連文字列は、前記相手端末から受信された音声のみに基づいて生成される
携帯端末装置。
【００４４】
（付記６）
相手端末に対して音声を送受信するステップと、
前記音声に基づいて複数の関連文字列を生成するステップと、
複数の文字を複数の予測変換候補に対応付ける予測変換辞書を前記複数の関連文字列に基づいて作成するステップと、
入力装置を介して入力される情報に基づいて文書を作成するステップとを具備し、
前記複数の関連文字列は、
前記音声が示す複数の単語をそれぞれ示す複数の文字列と、
前記複数の単語に関連する複数の他の単語をそれぞれ示す複数の他の文字列とを含み、
前記文書を作成するステップは、
前記複数の予測変換候補のうちの前記入力装置を介して入力された入力文字に対応する予測変換候補を表示装置に表示するステップと、
前記入力装置を介して入力される情報に基づいて前記予測変換候補から選択候補が選択されたときに、前記選択候補を用いて前記文書を作成するステップとを備える
予測変換辞書作成方法。
【００４５】
（付記７）
付記６において、
複数の相手先に対応する複数の予測変換辞書を作成するステップをさらに具備し、
前記複数の予測変換辞書のうちの１つの予測変換辞書は、前記複数の相手先のうちの前記１つの予測変換辞書に対応する１つの相手先に対して送受信された音声に基づいて前記音声認識機能により生成された複数の関連文字列に基づいて作成される。
予測変換辞書作成方法。
【００４６】
（付記８）
付記７において、
前記入力装置を介して入力される情報に基づいて送信文書を作成するステップと、
前記送信文書を送信先に送信するステップとをさらに具備し、
前記送信文書を作成するステップは、
前記複数の予測変換辞書のうちの前記送信先に対応する予測変換辞書が示す複数の予測変換候補のうちの前記入力装置を介して入力された入力文字に対応する送信文書作成時予測変換候補を前記表示装置に表示するステップと、
前記入力装置を介して入力される情報に基づいて前記送信文書作成時予測変換候補から送信文書作成時選択候補が選択されたときに、前記送信文書作成時選択候補を用いて前記送信文書を作成するステップとを備える
予測変換辞書作成方法。
【００４７】
（付記９）
付記６〜付記８のいずれかにおいて、
前記音声に関する情報を音声認識サーバに送信するステップと、
前記複数の関連文字列を前記音声認識サーバから受信するステップ
とをさらに具備する予測変換辞書作成方法。
【００４８】
（付記１０）
付記６〜付記９のいずれかにおいて、
前記複数の関連文字列は、前記相手端末から受信された音声のみに基づいて生成される
予測変換辞書作成方法。
【００４９】
（付記１１）
付記６〜付記１０のいずれかに記載される予測変換辞書作成方法をコンピュータに実行させるためのコンピュータプログラム。
【００５０】
（付記１２）
付記１１に記載されるコンピュータプログラムを記録したコンピュータ読み取り可能な記録媒体。
【符号の説明】
【００５１】
１  ：携帯端末装置
２  ：携帯電話回線網
３  ：携帯電話機
５  ：音声認識サーバ
１１：スピーカ
１２：マイク
１４：入力装置
１５：表示装置
１６：通信装置
２１：電話機能
２２：音声認識機能
２３：文字エンジン
２４：文書作成機能
２５：メール機能
３１：辞書テーブル
３２：相手先集合
３３：予測変換辞書集合
４１：予測変換辞書
４２：入力集合
４３：予測変換候補集合
【図１】
2011186597.tif 000003
【図２】
2011186597.tif 000004
【図３】
2011186597.tif 000005
【図４】
2011186597.tif 000006
【図５】
2011186597.tif 000007